(57)【要約】【課題】  リニアアクチュエータから入賞扉に至る伝動構成を簡略化し、薄型化を図ることにより、小型・軽量化を実現するとともに、不正行為の防止構造を安価に組み込むことのできる遊技機用入賞装置とそれを備えた遊技機を提供する。【解決手段】  入賞扉１０の回動側壁１２には、ヘッドカバー３０の移動壁３２側へ向けて、回動軸線Ｏと平行状に突起１３が突出形成されている。移動壁３２には、突起１３を移動可能に挿入するために湾曲形状を有し、かつ下向きに開口する切欠溝３３が形成されている。突起１３と切欠溝３３との係合により、入賞扉１０とヘッドカバー３０とを連係して作動させることができる。切欠溝３３の前方側摺接面３３ａに連続する形態で、水平状に当接ロック面３４が形成されている。当接ロック面３４は、入賞扉１０を不正に開こうとする外力Ｐｂが入賞扉１０に加えられたとき、突起１３との当接によって突起１３と切欠溝３３との係合をロックし、入賞扉１０の閉鎖位置から開放位置への回動を阻止する。【選択図】  図９
2010253161.tif 000002
【特許請求の範囲】
【請求項１】
遊技盤の盤面上に形成された遊技領域から遊技者の位置する前方側とは反対側の後方側に向かう入賞領域へ遊技球を導入するために、前記遊技領域における流下方向を上下方向としその交差方向を左右方向として開口する入賞口を有し、前記遊技盤に固定される遊技機用入賞装置であって、
前記遊技盤と平行状で左右方向に延びる回動軸線周りで回動可能に配置され、前記遊技盤に沿って起立することにより前記入賞口を閉鎖して遊技球の前記入賞領域への導入を不能とする閉鎖位置と、前記遊技領域へ交差状に突出することにより前記入賞口を開放して遊技球の前記入賞領域への導入を可能とする開放位置とに変位する入賞扉と、
前記入賞口の左右方向一端部側において、前後方向に直線的に変位する駆動部材を後方側の後退位置と前方側の突出位置とでそれぞれ保持することにより、前記入賞扉を前記回動軸線周りで回動して前記閉鎖位置と開放位置とに変位させるためのリニアアクチュエータと、
前記駆動部材に取り付けられ、その駆動部材と一体的に前後移動する移動体と、
を備え、
前記入賞扉の左右方向一端部から後方側に延出する回動側壁と、前記移動体の一部であって前方側に延出する移動壁とが、前後方向に沿って互いに対向状に配置されるとともに、
前記入賞扉と移動体とを連係するために、前記回動側壁と移動壁とのうち、いずれか一方の壁には、前記回動軸線と平行状に突出する係合凸部が形成され、他方の壁には、その係合凸部を受け入れて内部での移動を可能とする湾曲形状の係合凹部が形成され、
かつ、前記係合凸部と係合凹部との係合をロックするために、それら係合凸部と係合凹部とのうち少なくともいずれか一方には、前記リニアアクチュエータの駆動部材が前記後退位置にあり、前記入賞扉が前記閉鎖位置にあるときに、他方との接触によって前記入賞扉の前記閉鎖位置から開放位置への回動を阻止し得る回動阻止面が形成され、
前記閉鎖位置にある入賞扉を開放位置へ回動変位させようとする外力が前記入賞扉に加えられたとき、前記回動阻止面が前記係合凸部と係合凹部との係合をロックし、前記入賞扉の前記閉鎖位置から開放位置への回動を阻止することを特徴とする遊技機用入賞装置。
【請求項２】
前記係合凸部は、前記入賞扉の回動側壁において前記移動体の移動壁へ向けて突出する突起にて形成されるとともに、
前記係合凹部は、前記移動体の移動壁において下向きに開口し、前記突起が移動可能に挿入される切欠溝にて形成され、
かつ、前記突起との当接によって前記突起と切欠溝との係合をロックし、前記入賞扉の前記閉鎖位置から開放位置への回動を阻止するための当接ロック面が、前記回動阻止面として、前記切欠溝の前方側内面に連続する形態にて形成され、
前記移動体が前記リニアアクチュエータの駆動部材により前記後退位置から突出位置へ移動するとき、前記突起は前記切欠溝の内面を開口側から底側へ摺動して、前記入賞扉を前記閉鎖位置から開放位置へ回動変位させる一方、
前記移動体が前記リニアアクチュエータの駆動部材により前記突出位置から後退位置へ移動するとき、前記突起は前記切欠溝の内面を底側から開口側へ摺動して、前記入賞扉を前記開放位置から閉鎖位置へ回動変位させ、
さらに、その閉鎖位置にある入賞扉を開放位置へ回動変位させようとする外力が前記入賞扉に加えられたとき、前記当接ロック面が前記突起との当接によって前記突起と切欠溝との係合をロックし、前記入賞扉の前記閉鎖位置から開放位置への回動を阻止する請求項１に記載の遊技機用入賞装置。
【請求項３】
前記回動阻止面は、前記入賞扉の回動軸線及び前記駆動部材に基づく駆動力の作用線のいずれとも平行な平面に形成されている請求項１又は２に記載の遊技機用入賞装置。
【請求項４】
前記回動阻止面は、前記入賞扉の回動軸線及び前記駆動部材に基づく駆動力の作用線のうち少なくともいずれか一方に対して傾斜する平面に形成され、
前記回動阻止面と直交する断面において、その回動阻止面の切断線と前記回動軸線又は作用線との交差角の絶対値が、前記入賞扉の閉鎖位置において前記回動軸線から前記突起を見上げる直線が水平面となす係合仰角の１／５以下である請求項１又は２に記載の遊技機用入賞装置。
【請求項５】
前記リニアアクチュエータは、前記駆動部材として前後方向に貫通するプランジャを有するプッシュプル形のソレノイドで構成され、
前記移動体は、前記プランジャが消磁状態において後方側に後退する態様にて、そのプランジャの前方側のヘッド部に取り付けられる一方、前記ソレノイドの前方側において前記移動壁と一体化されている請求項１ないし４のいずれか１項に記載の遊技機用入賞装置。
【請求項６】
少なくとも前記リニアアクチュエータと移動体とを収容するためのベース体と、そのベース体を上方から覆うカバー体とを含むケーシングを備えるとともに、
前記リニアアクチュエータは、前記駆動部材として後方側に延出するプランジャを有するプル形のソレノイドで構成され、
前記ソレノイドと移動体とは、前記プランジャが消磁状態において後方側に後退する態様にて前記ベース体に載置され、
前記移動体は、前記ソレノイドの後方側において前記プランジャのヘッド部に取り付けられる一方、前記ソレノイドを迂回する形で延設された連結部を介し、前記ソレノイドの前方側において前記移動壁と一体化されている請求項１ないし４のいずれか１項に記載の遊技機用入賞装置。
【請求項７】
請求項１ないし６のいずれか１項に記載の遊技機用入賞装置が前記遊技盤に固定配置されることを特徴とする遊技機。
【発明の詳細な説明】
【技術分野】
【０００１】
本発明は、遊技機用入賞装置及びそれを搭載した遊技機に関する。
【背景技術】
【０００２】
遊技機において、例えば一般に「アタッカー」として用いられる入賞装置は、左右を長手方向とする長方形状の大入賞口（入賞口）が、対応する閉鎖部材（入賞扉）により開閉可能に塞がれる構造となっている。通常、入賞扉は下縁両端部が入賞装置の前面プレート（台板）等に例えばヒンジ止めされている。このような入賞扉は、直線駆動型のソレノイド（リニアアクチュエータ）と揺動アーム（伝達部材）等の伝達機構とにより、起立して大入賞口を塞ぐ閉鎖位置と、その閉鎖位置から手前側（遊技者側）に倒伏して大入賞口を開く開放位置との間で回動変位する。
【０００３】
また、このような入賞装置は賞球の払出しに直接関与するために不正行為（通称、ゴト行為）の標的となり易い。例えば、遊技機内に針金等の異物を挿入し、入賞扉、ソレノイドのプランジャ、プランジャから入賞扉へ動力伝達する伝達機構等を操作して、入賞扉を強制的に開放位置に移動する不正行為により、大量の賞球が不正に獲得されるおそれがある。そこで、従来より、入賞扉を閉鎖位置から開放位置へ回動変位させる外力が入賞扉に加えられても、大入賞口が不正に開口されないように、入賞扉を閉鎖位置に維持するためのロック機構（防犯機構）が考慮されている。
【０００４】
したがって、このような入賞装置では、上記したように、ソレノイドのプランジャによる前後方向の直線移動と、入賞扉による左右方向の回動軸線周りでの回動変位とを、回動軸線に平行な揺動軸線周りで揺動可能な揺動アーム（通称、梃子部材）によって連係し、ソレノイド（プランジャ）の駆動力を入賞扉に伝達している。その際、伝達機構を複数の伝達部材で構成し、それら伝達部材間あるいはいずれかの伝達部材と入賞扉との間に、動力伝達のための連動手段（連動機構）とは別に上記ロック機構を設置するのが一般的である（特許文献１参照）。
【先行技術文献】
【特許文献】
【０００５】
【特許文献１】特開２０００−２７９５８５号公報
【０００６】
特許文献１に示すような入賞装置においては、必然的に揺動アームの揺動スペースを要するために上下方向の寸法（高さ）が大きくなる。このように、入賞装置の小型・軽量化を図る際には、薄型化（高さの短縮）が最大の障害となっていた。また、上記ロック機構を連動手段とは別に設けたり、揺動アームに対する不正行為を防止するために揺動スペースのさらに外側をカバー体で覆ったりすることによって、さらに構造が複雑化・大型化しやすくなり、遊技盤の盤面（遊技領域）を有効活用する上で障害となる場合がある。
【発明の概要】
【発明が解決しようとする課題】
【０００７】
本発明の課題は、リニアアクチュエータから入賞扉に至る伝動構成を簡略化し、薄型化を図ることにより、小型・軽量化を実現するとともに、不正行為の防止構造を安価に組み込むことのできる遊技機用入賞装置とそれを備えた遊技機を提供することにある。
【課題を解決するための手段及び発明の効果】
【０００８】
上記課題を解決するために、本発明の遊技機用入賞装置は、
遊技盤の盤面上に形成された遊技領域から遊技者の位置する前方側とは反対側の後方側に向かう入賞領域へ遊技球を導入するために、前記遊技領域における流下方向を上下方向としその交差方向を左右方向として開口する入賞口を有し、前記遊技盤に固定される遊技機用入賞装置であって、
前記遊技盤と平行状で左右方向に延びる回動軸線周りで回動可能に配置され、前記遊技盤に沿って起立することにより前記入賞口を閉鎖して遊技球の前記入賞領域への導入を不能とする閉鎖位置と、前記遊技領域へ交差状に突出することにより前記入賞口を開放して遊技球の前記入賞領域への導入を可能とする開放位置とに変位する入賞扉と、
前記入賞口の左右方向一端部側において、前後方向に直線的に変位する駆動部材を後方側の後退位置と前方側の突出位置とでそれぞれ保持することにより、前記入賞扉を前記回動軸線周りで回動して前記閉鎖位置と開放位置とに変位させるためのリニアアクチュエータと、
前記駆動部材（例えば、その前端部又は後端部）に取り付けられ、その駆動部材と一体的に前後移動する移動体と、
を備え、
前記入賞扉の左右方向一端部から後方側に延出する回動側壁と、前記移動体の一部であって前方側に延出する移動壁とが、前後方向に沿って互いに対向状に配置されるとともに、
前記入賞扉と移動体とを連係するために、前記回動側壁と移動壁とのうち、いずれか一方の壁には、前記回動軸線と平行状に突出する係合凸部が形成され、他方の壁には、その係合凸部を受け入れて内部での移動を可能とする湾曲形状の係合凹部が形成され、
かつ、前記係合凸部と係合凹部との係合をロックするために、それら係合凸部と係合凹部とのうち少なくともいずれか一方には、前記リニアアクチュエータの駆動部材が前記後退位置にあり、前記入賞扉が前記閉鎖位置にあるときに、他方との接触によって前記入賞扉の前記閉鎖位置から開放位置への回動を阻止し得る回動阻止面が形成され、
前記閉鎖位置にある入賞扉を開放位置へ回動変位させようとする外力が前記入賞扉に加えられたとき、前記回動阻止面が前記係合凸部と係合凹部との係合をロックし、前記入賞扉の前記閉鎖位置から開放位置への回動を阻止することを特徴とする。
【０００９】
このような遊技機用入賞装置では、入賞扉と、リニアアクチュエータ（例えばソレノイド）の駆動部材（例えばプランジャ）に取り付けられた移動体（例えばヘッドカバー）とを連係するために、入賞扉の回動側壁と移動体の移動壁との一方に係合凸部（例えば軸状又は筒状の突起）、他方に係合凹部（例えば切欠溝又は長孔）がそれぞれ形成されている。これによって、従来一般的であった揺動アームを省略して、入賞扉と移動体とを直接的に連係し、リニアアクチュエータから入賞扉に至る伝動構成を簡略化し、薄型化を図ることができる。したがって、上下方向に大きな揺動スペースを要しなくなり、従来に比べて入賞装置の大幅な小型・軽量化を実現することができる。
【００１０】
また、係合凸部と係合凹部との係合をロックするために、係合凸部と係合凹部とのうち少なくともいずれか一方には回動阻止面が形成されている。したがって、強制的に開放位置に移動するために不正な外力が入賞扉に加えられても、回動阻止面が係合凸部と係合凹部との係合をロックし、入賞扉の閉鎖位置から開放位置への回動を阻止することができる。このように、移動体から入賞扉へ動力を伝達するために形成された係合凸部や係合凹部に回動阻止面を形成すればよいので、不正行為の防止構造を安価に組み込むことができる。
【００１１】
なお、リニアアクチュエータの駆動部材として、一般的には直線駆動型ソレノイドのプランジャが用いられるが、例えばリニアステッピングモータの駆動出力軸等を用いてもよい。また、回動軸線から係合凸部までの水平距離をＬｈ、同じく垂直距離をＬｖとしたとき、Ｌｈ＞Ｌｖを満たす区間を広く設定することによって、移動体の後退位置（入賞扉の閉鎖位置）において回動軸線から係合凸部を見上げる直線が水平面となす係合仰角θを小さくすることが容易になる。同様に、Ｌｈ＜Ｌｖを満たす区間を広く設定することによって、移動体の突出位置（入賞扉の開放位置）において係合仰角θを大きくすることが容易になる。
【００１２】
そして上記遊技機用入賞装置において、係合凸部と係合凹部とは、いずれも回動軸線より上方に位置し、
移動体の前後移動及び入賞扉の往復回動にかかわらず、係合仰角θは正の鋭角範囲内（すなわち、９０°＞θ＞０°）にあることが望ましい。
【００１３】
これによって、リニアアクチュエータ（駆動部材）からの水平方向（前後方向）への駆動力Ｐが係合仰角θをなす係合凸部（例えば突起）に作用するとき、回動軸線（回動軸）方向に向かう向心力Ｐｎと、接線方向に向かう接線力Ｐｔとは、それぞれ次の式で表される（図５参照）。
Ｐｎ＝Ｐ・ｃｏｓθ                              （１）
Ｐｔ＝Ｐ・ｓｉｎθ＝Ｐｎ・ｔａｎθ              （２）
また、接線力Ｐｔは入賞扉を開放側又は閉鎖側に回動する回動力となり、９０°＞θ＞０°の範囲では係合仰角θが大きくなるほど回動力Ｐｔは大きくなる。したがって、入賞扉は開放位置に近づくほど勢いよく開き、閉鎖位置に近づくほどゆっくり閉まることになり、入賞扉の閉鎖時に球噛みが発生しにくくなる。
【００１４】
なお、入賞扉に係合凸部（例えば突起）が突出形成される場合には、係合仰角θが正の鋭角範囲内（すなわち、９０°＞θ＞０°）であれば、回動軸線を基準とする係合凸部の回動半径をＲとすると、Ｒ＞Ｌｈ＞０かつＲ＞Ｌｖ＞０が成り立つ。
【００１５】
具体的な構成の一例として、
係合凸部は、入賞扉の回動側壁において移動体の移動壁へ向けて突出する突起にて形成されるとともに、
係合凹部は、移動体の移動壁において下向きに開口し、突起が移動可能に挿入される切欠溝にて形成され、
かつ、突起との当接によって突起と切欠溝との係合をロックし、入賞扉の閉鎖位置から開放位置への回動を阻止するための当接ロック面が、回動阻止面として、切欠溝の前方側内面に連続する形態にて形成され、
移動体がリニアアクチュエータの駆動部材により後退位置から突出位置へ移動するとき、突起は切欠溝の内面を開口側から底側へ摺動して、入賞扉を閉鎖位置から開放位置へ回動変位させる一方、
移動体がリニアアクチュエータの駆動部材により突出位置から後退位置へ移動するとき、突起は切欠溝の内面を底側から開口側へ摺動して、入賞扉を開放位置から閉鎖位置へ回動変位させ、
さらに、その閉鎖位置にある入賞扉を開放位置へ回動変位させようとする外力が入賞扉に加えられたとき、当接ロック面が突起との当接によって突起と切欠溝との係合をロックし、入賞扉の閉鎖位置から開放位置への回動を阻止することができる。
【００１６】
このように、入賞扉の回動側壁に形成される突起（係合凸部）と、移動体の移動壁に形成される切欠溝（係合凹部）とによって、入賞扉と移動体とを直接的に連係することができ、構成を簡素化しつつ入賞扉を円滑に作動させることができる。また、係合凹部が移動体の移動壁において下向きに開口する切欠溝にて形成されるので、入賞装置の一層の薄型化を図ることができるとともに、突起（係合凸部）の組み立て作業の自由度が高くなり、組付性が向上する。この場合、移動体の移動壁に形成される切欠溝（係合凹部）の前方側及び後方側の内面（摺接面）は、切欠溝を摺動する突起（係合凸部）の内部移動を円滑にするために、外転（エピ）サイクロイド曲線又は外転（エピ）トロコイド曲線にて形成するとよい。
【００１７】
さらに、突起との当接によって突起と切欠溝との係合をロックする当接ロック面（回動阻止面）が、切欠溝の前方側内面に連続する形態にて形成されている。このように、切欠溝を延長して当接ロック面を形成すればよいので、不正行為の防止構造を安価に組み込むことができ、また、突起との当接によって直ちに係合ロックされるので、不正行為を未然に防止することができる。なお、当接ロック面はほぼ水平面に形成すればよいので、加工コストも安くすむ。
【００１８】
具体的には、上記回動阻止面は、入賞扉の回動軸線及び駆動部材に基づく駆動力の作用線のいずれとも平行な平面に形成されていることが望ましい。
【００１９】
これによって、回動阻止面（例えば当接ロック面）が回動軸線及び駆動力の作用線のいずれとも平行状（例えば水平状）に形成されるので、入賞扉に対して不正な外力が加えられたときに、入賞扉を回動させようとする回動力（外力）を回動阻止面で確実に受け止め、入賞扉の閉鎖位置から開放位置への回動を阻止することができる。すなわち、回動阻止面は、係合凸部（例えば軸状又は筒状の突起）が、係合凹部（例えば切欠溝又は長孔）を一端側（例えば開口側）から他端側（例えば底側）に移動したり、切欠溝の場合には開口から脱け出したりしようとするのを、面状又は線状での接触によりロックするので、入賞扉が閉鎖位置から開放位置へ回動変位しようとしても確実にその動きを封鎖することができる。
【００２０】
あるいは、上記回動阻止面は、入賞扉の回動軸線及び駆動部材に基づく駆動力の作用線のうち少なくともいずれか一方に対して傾斜する（すなわち勾配を有する）平面に形成され、
回動阻止面と直交する断面において、その回動阻止面の切断線と回動軸線又は作用線との交差角α，βの絶対値が、入賞扉の閉鎖位置において回動軸線から突起を見上げる直線が水平面となす係合仰角θの１／５以下（すなわち｜α｜，｜β｜≦θ／５）とする場合がある。
【００２１】
これによって、回動軸線との交差角α（図９（ａ）参照）や駆動力の作用線との交差角β（図９（ｂ）参照）が、閉鎖位置における係合仰角θ（図５参照）に対して微小角度範囲内に設定されるので、回動阻止面（例えば当接ロック面）において、係合凸部（例えば軸状又は筒状の突起）を係合凹部（例えば切欠溝又は長孔）の一端側（例えば開口側）から他端側（例えば底側）に移動させたり、切欠溝の場合には開口から脱け出させたりする力（ロック解除力）が発生しても、それらの力を小さく抑えることができる。例えば、閉鎖位置における係合仰角θ＝２０°のとき、交差角α，βは、−４°≦α，β≦＋４°の範囲内に設定される。なお、ロック解除力の発生を極力抑制するために、−２°≦α，β≦＋２°（すなわち｜α｜，｜β｜≦θ／１０）とすることが望ましい。
【００２２】
ところで、リニアアクチュエータが、駆動部材として前後方向に貫通するプランジャを有するプッシュプル形のソレノイドで構成される場合、
移動体を、プランジャが消磁状態において後方側に後退する態様にて、そのプランジャの前方側のヘッド部に取り付ける一方、ソレノイドの前方側において移動壁と一体化することができる。
【００２３】
このように、プッシュプル形のソレノイドを用いる場合には、入賞扉に近接した位置で移動体をプランジャの前方側のヘッド部に取り付け、かつ移動壁と一体化することができる。したがって、移動体の前後方向の長さ（奥行）が短縮され、作動（前後移動）時の振れ幅を小さくすることができる。また、ソレノイドや移動体を収容するケーシングが上下分割式、前後分割式のいずれであっても、移動体を容易に組み付けることができる。
【００２４】
あるいは、少なくともリニアアクチュエータと移動体とを収容するためのベース体（例えば下側ケース体）と、そのベース体を上方から覆うカバー体（例えば上側ケース体）とを含むケーシングを備えるとともに、リニアアクチュエータが、駆動部材として後方側に延出するプランジャを有するプル形のソレノイドで構成される場合、
ソレノイドと移動体とを、プランジャが消磁状態において後方側に後退する態様にてベース体に載置し、
移動体を、ソレノイドの後方側においてプランジャのヘッド部に取り付ける一方、ソレノイドを迂回する形で延設された連結部を介し、ソレノイドの前方側において移動壁と一体化することができる。
【００２５】
このように、上下分割式のケーシングとプル形のソレノイドを用いる場合であっても、ソレノイド（プランジャ）を迂回する形で延設された連結部を介することによって、入賞扉に近接した位置に移動壁を配置し、ソレノイドの後方側に配置された移動体と連結・一体化することができる。このとき、連結部をソレノイドとケーシングとの隙間（ソレノイドの周囲を取り巻いて上下左右に形成される空間）に配置することによって、連結部（ひいては移動体及び移動壁）はプランジャの軸線と平行状に、ヘッド部と等価な距離を前後移動することができる。したがって、長尺状の移動体に対して、直進移動用のガイド等を用いなくても作動（前後移動）時の直進性が保持され、ケーシング（ひいては入賞装置）の小型・軽量化を阻害しない。
【００２６】
そこで、上記課題を解決するために、本発明の遊技機は、
以上のような遊技機用入賞装置が遊技盤に固定配置されることを特徴とする。
【００２７】
このように、リニアアクチュエータから入賞扉に至る伝動構成を簡略化し、薄型化が図られて小型・軽量になった上、不正行為の防止構造をも安価に組み込まれた入賞装置を搭載することにより、興趣に富む盤面構成を有する遊技機を容易に実現することができる。
【００２８】
なお、本発明の遊技機には、パチンコ機、アレパチ機等の弾球遊技機が含まれる。
【図面の簡単な説明】
【００２９】
【図１】本発明に係る入賞装置を備えたパチンコ機を例示する正面図。
【図２】本発明に係る入賞装置の一例を示す全体斜視図。
【図３】図２の分解斜視図。
【図４】図２の主要部を示す平面図。
【図５】入賞扉が閉鎖位置にあるときの、回動側壁と移動壁との連係構造を示す部分拡大正面図及びＡ−Ａ断面図。
【図６】入賞扉が開放位置に変位したときの、回動側壁と移動壁との連係構造を示す部分拡大正面図及びＡ’−Ａ’断面図。
【図７】入賞扉が開放位置にあるときの、入賞装置の全体斜視図。
【図８】入賞扉が開放位置にあるときの、主要部を示す平面図。
【図９】入賞扉が不正行為を受けたときの、回動側壁と移動壁とのロック構造を示す部分拡大正面図及びＡ”−Ａ”断面図。
【図１０】本発明に係る入賞装置の他の例を示す分解斜視図。
【図１１】図１０の主要部を示す平面図。
【図１２】図１１の斜視図。
【図１３】入賞扉が開放位置にあるときの、主要部を示す平面図。
【図１４】図１３の斜視図。
【図１５】本発明に係る入賞装置のさらに他の例について、入賞扉が閉鎖位置にあるときの、回動側壁と移動壁との連係構造及びロック構造を示す側面説明図。
【図１６】入賞扉が開放位置に変位したときの、回動側壁と移動壁との連係構造及びロック構造を示す側面説明図。
【発明を実施するための形態】
【００３０】
（実施例１）
以下、本発明の実施の形態を図面を参照しつつ説明する。図１は本発明に係る遊技機用入賞装置（以下、単に入賞装置ともいう）を備えたパチンコ機を例示する正面図、図２は本発明に係る入賞装置の一例を示す全体斜視図、図３はその分解斜視図、図４はその主要部を示す平面図である。図１に示すように、パチンコ機１（遊技機）の遊技盤２の盤面（前面）には、ほぼ左半周が内外２本の発射レール２ｂによって区画され、全体として円形の遊技領域２ａが形成されている。遊技領域２ａの中央には液晶表示部３が搭載され、液晶表示部３の下方（遊技領域２ａの中央下部）に大入賞装置４（入賞装置）が配置されている。また、液晶表示部３と大入賞装置４との間には、電動チューリップ（電チュー）にて構成される始動入賞装置７が配置されている。
【００３１】
この大入賞装置４は、高分子材料（例えばＡＢＳ樹脂等の合成樹脂）製の台板５によって遊技盤２に固定されている。この台板５は、厚さ方向（前後方向）に貫通形成されるとともに、遊技領域２ａにおける流下方向を上下方向としその交差（例えば直交）方向である左右方向を長手方向として開口する矩形状の大入賞口５ａ（入賞口）を有する（図２参照）。したがって、発射レール２ｂから打ち出された遊技球（図示せず）は、遊技盤２の盤面上に形成された遊技領域２ａから大入賞口５ａを通過して後方側の入賞領域４ａへ導入される（図６（ｂ），図7参照）。
【００３２】
本明細書において、上下方向とは遊技盤２の盤面に沿う形で遊技球が流下する方向（例えば、鉛直方向）を意味する。また、左右方向とは遊技盤２の盤面に沿う形で上下方向と交差する方向（例えば、水平方向）を意味し、遊技者側からみて左側、右側をいう。さらに、前後方向とは遊技盤２と交差（例えば、直交）する方向を意味し、遊技者側（手前側）が前方側であり、その反対側（奥側）が後方側となる。
【００３３】
図２において、大入賞装置４を構成する台板５（図１参照）の後面（裏面）には、高分子材料（例えば例えばポリカーボネート（ＰＣ）等の合成樹脂）製のケーシング６が取り付けられている。ケーシング６は上側ケース体６Ｕ（カバー体）と下側ケース体６Ｄ（ベース体）とから構成され、両ケース体６Ｕ，６Ｄが一体化されるとともに、いずれか一方のケース体（例えば下側ケース体６Ｄ）が台板５に固定されている。
【００３４】
図３に示すように、大入賞装置４は、高分子材料（例えばポリカーボネート（ＰＣ）等の合成樹脂）製で大入賞口５ａに対応して配置される入賞扉１０と、前後方向でプランジャ２２（駆動部材；図４参照）が直線的に変位するように配置される直線駆動型のプッシュプル形ソレノイド２０（リニアアクチュエータ）と、プランジャ２２の前端側ヘッド部２３ａに固定されて一体的に前後移動するヘッドカバー３０（移動体）とを備えている。そして、大入賞装置４の主要部をなす入賞扉１０，ソレノイド２０，ヘッドカバー３０は、ケーシング６のうち、上側ケース体６Ｕで覆う前の下側ケース体６Ｄに収容・載置される。なお、ケーシング６には、大入賞装置４への入賞球を検知するための近接スイッチ６ａ，６ｂ（入賞球検出器）も収容されている。その他、ケーシング６には、大入賞装置４の内部を照明するための発光基板等も収容されているが、図示を省略した。
【００３５】
図２及び図３に示すように、入賞扉１０は、正面視において左右方向が長手方向となる矩形状の板状形態をなし、台板５に形成された大入賞口５ａを塞いでいる。具体的には、入賞扉１０は、大入賞口５ａに対応して前方側が開放された両ケース体６Ｕ，６Ｄの前端部に配置され、遊技盤２（図１参照）と平行状で大入賞口５ａの下辺に沿って延びる回動軸線Ｏ周りに回動可能に下側ケース体６Ｄに軸支されている。なお、入賞扉１０を台板５に軸支する形態としてもよい。このようにして入賞扉１０は、遊技盤２に沿って起立することにより大入賞口５ａを閉鎖して遊技球の入賞領域４ａへの導入を不能とする閉鎖位置（第一位置；図５参照）と、遊技領域２ａ（図１参照）へ交差状に突出することにより大入賞口５ａを開放して遊技球の入賞領域４ａへの導入を可能とする開放位置（第二位置；図６参照）とに回動変位する。
【００３６】
図４に示すように、入賞扉１０は、両側部下端に回動軸線Ｏに沿って左右に各々突出する回動軸１１，１１を有しており、この回動軸１１，１１が下側ケース体６Ｄに回転可能に支持されている（図４参照）。なお、回動軸１１，１１の代わりに軸孔を形成して下側ケース体６Ｄ又は台板５側から軸支する形態としてもよい。また、入賞扉１０は、両側部で後方に延出する回動側壁１２，１２が形成され、遊技者側から見て左側（一端部側）の回動側壁１２の後端部には、丸軸状の突起１３（係合凸部）が左側端面から外側に向けて回動軸線Ｏと平行状に突出形成されている。後述するように、突起１３は、ヘッドカバー３０の一部を構成する移動壁３２に形成された切欠溝３３（係合凹部）へ移動可能に挿入されている（図５（ｂ）参照）。
【００３７】
プッシュプル形のソレノイド２０は、入賞扉１０の左側端部において前後方向に配置され、コイル部２１（本体部）及びソレノイドケース２９を前後方向に貫通して両端から突出するプランジャ２２の前後両端には、円盤状のヘッド部２３ａ，２３ｂがそれぞれ形成されている（図３参照）。後端側ヘッド部２３ｂとソレノイドケース２９との間には圧縮コイルばね２４（付勢部材）が介装され、プランジャ２２は後方側の後退位置（図４，図５参照）と前方側の突出位置（図６，図８参照）とでそれぞれ保持される。
【００３８】
具体的には、通常状態ではコイル部２１は消磁され、圧縮コイルばね２４がプランジャ２２を後方側の後退位置に向けて付勢するので、図４に示すように、後端側ヘッド部２３ｂが押出され（進出）、前端側ヘッド部２３ａが引込まれる（退入）。一方、コイル部２１が励磁されると、圧縮コイルばね２４の付勢力に抗してプランジャ２２が前方側の突出位置に移動するので、図８に示すように、前端側ヘッド部２３ａが押出され（進出）、後端側ヘッド部２３ｂが引込まれる（退入）。
【００３９】
図３に戻り、ヘッドカバー３０は、プランジャ２２の前端側ヘッド部２３ａを固定保持するカバー部３１と、そのカバー部３１から前方側に延出する移動壁３２とが一体的に形成され、プランジャ２２と一体となって前後移動する。上記した入賞扉１０の左側の回動側壁１２とヘッドカバー３０の移動壁３２とは、互いに対向するように前後方向に配置され、入賞扉１０とヘッドカバー３０とを連係して作動させるための連係構造を有している。
【００４０】
具体的には図５に示すように、入賞扉１０の左側の回動側壁１２には、ヘッドカバー３０の移動壁３２側へ向けて、回動軸線Ｏと平行状に突起１３（係合凸部）が突出形成されている。一方、ヘッドカバー３０の移動壁３２には、突起１３を移動可能に挿入するために湾曲形状を有し、かつ下向きに開口する切欠溝３３（係合凹部）が形成されている。また、突起１３と切欠溝３３との係合により、入賞扉１０とヘッドカバー３０とを連係して作動させることができる。その際、突起１３は、湾曲形状の切欠溝３３の前方側摺接面３３ａ（前方側内面）と後方側摺接面３３ｂ（後方側内面）との間を摺動することにより、切欠溝３３の開口と底との間を往復移動可能である。なお、右側の回動側壁１２には、入賞扉１０を閉鎖位置へ円滑に移行させ、かつ閉鎖位置を保持するために、金属（例えば真鍮）製の錘１４が、回動軸線Ｏより後方側において右側端面の外側に取り付けられている（図３参照）。
【００４１】
したがって、移動壁３２がプランジャ２２（前端側ヘッド部２３ａ）とともに後退位置（図５（ｂ））から突出位置（図６（ｂ））へ移動するとき、突起１３は、回動軸線Ｏ（回動軸１１）から突起１３を見上げる直線が水平面となす係合仰角θを次第に増大させながら、両摺接面３３ａ，３３ｂに沿って切欠溝３３を開口側から底側へ摺動し、入賞扉１０を閉鎖位置から開放位置へ回動変位させる。一方、移動壁３２が突出位置（図６（ｂ））から後退位置（図５（ｂ））へ移動するとき、突起１３は、係合仰角θを次第に減少させながら、両摺接面３３ａ，３３ｂに沿って切欠溝３３を底側から開口側へ摺動し、入賞扉１０を開放位置から閉鎖位置へ回動変位させる。
【００４２】
図５（ｂ）及び図６（ｂ）から明らかなように、突起１３と切欠溝３３とは、いずれも回動軸線Ｏより上方に位置しており、ヘッドカバー３０の前後移動及び入賞扉１０の往復回動にかかわらず、係合仰角θは正の鋭角範囲内（９０°＞θ＞０°）にある。よって、回動軸線Ｏを基準とする突起１３の回動半径をＲ、回動軸線Ｏから突起１３までの水平距離をＬｈ、同じく垂直距離をＬｖとすると、Ｒ＞Ｌｈ＞０とＲ＞Ｌｖ＞０が同時に成り立っている。
【００４３】
ところで、図５（ｂ）に示すように、ソレノイド２０（プランジャ２２）から水平方向（前後方向）の駆動力Ｐが係合仰角θをなす突起１３に作用するとき、回動軸線Ｏ（回動軸１１）方向に向かう向心力Ｐｎと、接線方向に向かう接線力Ｐｔとは、それぞれ次の式で表される。
Ｐｎ＝Ｐ・ｃｏｓθ                              （１）
Ｐｔ＝Ｐ・ｓｉｎθ＝Ｐｎ・ｔａｎθ              （２）
【００４４】
ここで、接線力Ｐｔは入賞扉１０を開放側（図５（ｂ）矢印方向）又は閉鎖側（図６（ｂ）矢印方向）に回動する回動力となり、突起１３が前方側摺接面３３ａ又は後方側摺接面３３ｂを摺動しつつ押圧する。そして、９０°＞θ＞０°の範囲では、係合仰角θが大きくなるほど回動力Ｐｔは大きくなる。したがって、入賞扉１０は開放位置に近づくほど勢いよく開き、閉鎖位置に近づくほどゆっくり閉まることになり、入賞扉１０の閉鎖時に球噛みが発生しにくくなる。また、Ｌｈ＞Ｌｖを満たす区間を広く設定することによって、ヘッドカバー３０の後退位置（入賞扉１０の閉鎖位置；図５）において係合仰角θを小さくすることが容易になる。同様に、Ｌｈ＜Ｌｖを満たす区間を広く設定することによって、ヘッドカバー３０の突出位置（入賞扉１０の開放位置；図６）において係合仰角θを大きくすることが容易になる。さらに、摺動抵抗を低減して突起１３の移動を円滑にするために、両摺接面３３ａ，３３ｂの断面形状は、例えば回動半径Ｒで描かれた円弧を基準円（固定円）とする外転（エピ）サイクロイド曲線又は外転（エピ）トロコイド曲線で構成するとよい。
【００４５】
このような大入賞装置４は、さらに、閉鎖位置（図５）にある入賞扉１０を無理やり開こうとする不正行為を防止するために、突起１３（入賞扉１０）と切欠溝３３（ヘッドカバー３０）との係合をロックするロック構造を有している。
【００４６】
具体的には、図９に示すように、切欠溝３３の前方側摺接面３３ａに連続する形態で、前方側摺接面３３ａの開口先端から水平状に当接ロック面３４（回動阻止面）が形成されている。すなわち、当接ロック面３４は、入賞扉１０の回動軸線Ｏ及びプランジャ２２に基づく駆動力Ｐの作用線（図５（ｂ）参照）のいずれとも平行な平面に形成されている。さらに換言すれば、図９（ａ）において、当接ロック面３４と回動軸線Ｏとの左右方向の交差角α（回動軸線交差角）≒０°であり、かつ図９（ｂ）において、当接ロック面３４と駆動力Ｐの作用線との前後方向の交差角β（作用線交差角）≒０°であることを表している。
【００４７】
この当接ロック面３４は、入賞扉１０を不正に開こうとする外力Ｐｂが入賞扉１０に加えられたとき（図９）、切欠溝３３の開口に位置する突起１３との当接によって、突起１３と切欠溝３３との係合をロックし、入賞扉１０の閉鎖位置（図５）から開放位置（図６）への回動を阻止する。具体的には、入賞扉１０に対して不正な外力Ｐｂが加えられたことに起因して、切欠溝３３を開口側から底側に移動したり、開口から脱け出したりしようとする突起１３に対し、当接ロック面３４は面状又は線状に当接して確実にロックする。
【００４８】
次に、図２及び図４〜図９を用いて、以上のような構成を有する大入賞装置４の作動について説明する。
【００４９】
＜通常状態＝閉鎖位置＞（図２，図４，図５）
通常状態（非大当たり状態）では、ソレノイド２０のコイル部２１が消磁され、圧縮コイルばね２４がプランジャ２２を後方側の後退位置に向けて付勢し、入賞扉１０を閉鎖位置に保持する（図４）。具体的には、ソレノイド２０のプランジャ２２が突出位置（図６）から後退位置（図５）へ後退変位するとき、突起１３は、係合仰角θを次第に減少させながら、両摺接面３３ａ，３３ｂに沿って切欠溝３３を底側から開口側へ摺動し、当接ロック面３４よりも下方（低位）になるまで位置変動する。これによって、入賞扉１０は回動軸線Ｏを中心に図６（ｂ）で反時計回り（矢印方向）に回転して開放位置から閉鎖位置へ回動変位し、大入賞口５ａが閉鎖される（図２）。
【００５０】
＜大当たり状態＝開放位置＞（図６〜図８）
大当たり状態ではソレノイド２０のコイル部２１が励磁され、圧縮コイルばね２４の付勢力に抗してプランジャ２２が前方側の突出位置に移動し、入賞扉１０を開放位置に保持する（図８）。具体的には、プランジャ２２が後退位置（図５）から突出位置（図６）へ前進変位するとき、突起１３は、係合仰角θを次第に増大させながら、両摺接面３３ａ，３３ｂに沿って切欠溝３３を開口側から底側へ摺動する。これによって、入賞扉１０は回動軸線Ｏを中心に図５（ｂ）で時計回り（矢印方向）に回転して閉鎖位置から開放位置へ回動変位し、大入賞口５ａが開放されるので、遊技領域２ａ（図１参照）を流下する遊技球は入賞領域４ａに導入されるようになる（図７）。
【００５１】
＜ロック状態＞（図９）
入賞扉１０が閉鎖位置（図５）に保持されているときに、入賞扉１０を不正に開こうとする外力Ｐｂが入賞扉１０に加えられると、切欠溝３３の開口に位置し、回動側壁１２とともに回動する突起１３が、切欠溝３３の前方側摺接面３３ａに連続する形態で形成された当接ロック面３４に当接する。これによって、突起１３と切欠溝３３との係合がロックされるので、入賞扉１０の閉鎖位置（図５）から開放位置（図６）への回動は阻止され、不正行為は未然に防止される。
【００５２】
このように、入賞扉１０の回動側壁１２に形成される突起１３と、ヘッドカバー３０の移動壁３２に形成される切欠溝３３とによって、入賞扉１０とヘッドカバー３０とを直接的に連係することができ、構成を簡素化しつつ入賞扉１０を円滑に作動させることができる。また、ヘッドカバー３０の移動壁３２に、下向きに開口する切欠溝３３を形成したので、大入賞装置４を極めて薄くすることができ、また突起１３の組み立て作業の自由度が高くなり、組付性が向上する。
【００５３】
さらに、当接ロック面３４は切欠溝３３（前方側摺接面３３ａ）の開口先端を水平状に延長して形成されているので、不正行為の防止構造を安価に組み込むことができる。また、当接ロック面３４と突起１３との当接によって直ちに係合ロックされるので、不正行為を未然に防止することができる。
【００５４】
（実施例２）
図１０は本発明に係る入賞装置の他の例を示す分解斜視図、図１１はその主要部を示す平面図、図１２はその斜視図である。また、図１３は入賞扉が開放位置にあるときの、主要部を示す平面図、図１４はその斜視図である。図１０に示す大入賞装置１０４（入賞装置）においても、ケーシング６は上側ケース体６Ｕ（カバー体）と下側ケース体６Ｄ（ベース体）とから構成され、両ケース体６Ｕ，６Ｄが一体化されるとともに、いずれか一方のケース体（例えば下側ケース体６Ｄ）が台板５に固定されている。大入賞装置１０４は、入賞扉１０と、直線駆動型のプル形ソレノイド１２０（リニアアクチュエータ）と、ヘッドカバー１３０（移動体）とを備えている。そして、この実施例においても、大入賞装置１０４の主要部をなす入賞扉１０，ソレノイド１２０，ヘッドカバー１３０は、ケーシング６のうち、上側ケース体６Ｕで覆う前の下側ケース体６Ｄに収容・載置される。
【００５５】
プル形のソレノイド１２０は、入賞扉１０の左側端部において前後方向に配置され、コイル部２１（本体部）及びソレノイドケース２９から後方側に突出するプランジャ１２２の先端（後端）には、円盤状のヘッド部１２３が形成されている（図１２参照）。ヘッド部１２３とソレノイドケース２９との間には圧縮コイルばね２４（付勢部材）が介装され、プランジャ１２２は後方側の後退位置（図１１，図１２参照）と前方側の突出位置（図１３，図１４参照）とでそれぞれ保持される。
【００５６】
具体的には、通常状態ではコイル部２１は消磁され、圧縮コイルばね２４がプランジャ１２２を後方側の後退位置に向けて付勢するので、図１２に示すように、ヘッド部１２３が押出される（進出）。一方、コイル部２１が励磁されると、圧縮コイルばね２４の付勢力に抗してプランジャ１２２が前方側の突出位置に移動するので、図１４に示すように、ヘッド部１２３が引込まれる（退入）。
【００５７】
図１０に戻り、ヘッドカバー１３０は、ソレノイド１２０の後方側に位置してプランジャ１２２のヘッド部１２３を固定保持するカバー部１３１と、ソレノイド１２０の前方側に位置して前方側に延出する移動壁３２と、そのカバー部１３１からプランジャ１２２の軸線と平行状にソレノイド１２０を迂回する形で延設され移動壁３２に至る長尺状の連結部１３４とが一体的に形成され、これらがプランジャ１２２（ヘッド部１２３）と一体となって前後移動する。具体的には図１１及び図１２に示すように、連結部１３４は、ソレノイド１２０とケーシング６との隙間（ソレノイド１２０の周囲を取り巻いて上下左右に形成される空間）のいずれか（例えば下側ケース体６Ｄの外周壁との間においてソレノイド１２０の左側方に形成される空間）に配置される。これによって、連結部１３４（ひいてはヘッドカバー１３０及び移動壁３２）は、プランジャ１２２の軸線と平行状に、ヘッド部１２３と等価な距離を前後移動することができる。
【００５８】
そして、入賞扉１０の左側の回動側壁１２とヘッドカバー１３０の移動壁３２とは、互いに対向するように前後方向に配置され、入賞扉１０とヘッドカバー１３０とを連係して作動させるために、実施例１と同様の連係構造及びロック構造を有している。したがって、図１１〜図１４に示す大入賞装置１０４の作動は実施例１と同様であり、連結部１３４が長尺状であっても移動壁３２は作動（前後移動）時の直進性を保つことができ、ケーシング６（ひいては大入賞装置１０４）について実施例１と遜色のない小型・軽量化と不正防止とを実現できる。
【００５９】
（実施例３）
図１５は本発明に係る入賞装置のさらに他の例について、入賞扉が閉鎖位置にあるときの、回動側壁と移動壁との連係構造及びロック構造を示す側面説明図、図１６は入賞扉が開放位置に変位したときの、回動側壁と移動壁との連係構造及びロック構造を示す側面説明図である。図１５に示す大入賞装置２０４（入賞装置）においても、入賞扉２１０の一方側（左側）の回動側壁２１２とヘッドカバー２３０（移動体）の移動壁２３２とは、互いに対向するように前後方向に配置され、入賞扉２１０とヘッドカバー２３０とを連係して作動させるための連係構造を有している。
【００６０】
具体的には、ヘッドカバー２３０の移動壁２３２には、入賞扉２１０の左側の回動側壁２１２側へ向けて、回動軸線Ｏと平行状に突起２３３（係合凸部）が突出形成されている。一方、入賞扉２１０の回動側壁２１２には、突起２３３を移動可能に挿入するために湾曲形状を有する長孔２１３（係合凹部）が形成されている。また、突起２３３と長孔２１３との係合により、入賞扉２１０とヘッドカバー２３０とを連係して作動させることができる。その際、突起２３３は、湾曲形状の長孔２１３の前方側摺接面２１３ａ（前方側内面）と後方側摺接面２１３ｂ（後方側内面）との間を摺動することにより、長孔２１３の上端側（一端側）と下端側（他端側）との間を往復移動可能である。
【００６１】
したがって、移動壁２３２がプランジャ２２（前端側ヘッド部２３ａ）とともに後退位置（図１５）から突出位置（図１６）へ移動するとき、突起２３３は、回動軸線Ｏ（回動軸１１）から突起２３３を見上げる直線が水平面となす係合仰角θを次第に増大させながら、両摺接面２１３ａ，２１３ｂに沿って長孔２１３を上端側から下端側へ摺動し、入賞扉２１０を閉鎖位置から開放位置へ回動変位させる。一方、移動壁２３２が突出位置（図１６）から後退位置（図１５）へ移動するとき、突起２３３は、係合仰角θを次第に減少させながら、両摺接面２１３ａ，２１３ｂに沿って長孔２１３を下端側から上端側へ摺動し、入賞扉２１０を開放位置から閉鎖位置へ回動変位させる。
【００６２】
図１５及び図１６から明らかなように、突起２３３と長孔２１３とは、いずれも回動軸線Ｏより上方に位置しており、ヘッドカバー２３０の前後移動及び入賞扉２１０の往復回動にかかわらず、係合仰角θは正の鋭角範囲内（９０°＞θ＞０°）にある。
【００６３】
このような大入賞装置２０４は、さらに、閉鎖位置（図１５）にある入賞扉２１０を無理やり開こうとする不正行為を防止するために、突起２３３（ヘッドカバー２３０）と切欠溝２１３（入賞扉２１０）との係合をロックするロック構造を有している。
【００６４】
具体的には、図１５に示すように、長孔２１３の後方側摺接面２１３ｂに連続する形態で、後方側摺接面２１３ｂの上端から水平状に摺接ロック面２１４（回動阻止面）が形成されている。すなわち、摺接ロック面２１４は、入賞扉２１０の回動軸線Ｏ及びプランジャ２２に基づく駆動力Ｐの作用線（図５（ｂ）参照）のいずれとも平行な平面に形成されている。さらに換言すれば、図１５において、摺接ロック面２１４と回動軸線Ｏとの左右方向の交差角α（回動軸線交差角）≒０°であり（図９（ａ）参照）、かつ、摺接ロック面２１４と駆動力Ｐの作用線との前後方向の交差角β（作用線交差角）≒０°である（図９（ｂ）参照）ことを表している。
【００６５】
この摺接ロック面２１４は、入賞扉２１０を不正に開こうとする外力Ｐｂが入賞扉２１０に加えられたとき（図１５）、長孔２１３の上端部に位置する突起２３３との摺接によって、突起２３３と長孔２１３との係合をロックし、入賞扉２１０の閉鎖位置（図１５）から開放位置（図１６）への回動を阻止する。具体的には、入賞扉２１０に対して不正な外力Ｐｂが加えられたことに起因して、回動側壁２１２とともに回動しようとする長孔２１３に対し、突起２３３が摺接ロック面２１４に面状又は線状に接触してロックしている。
【００６６】
次に、図１５及び図１６を用いて、以上のような構成を有する大入賞装置２０４の作動について説明する。
【００６７】
＜通常状態＝閉鎖位置＞（図１５）
通常状態（非大当たり状態）では、ソレノイド２０のコイル部２１が消磁され、圧縮コイルばね２４がプランジャ２２を後方側の後退位置に向けて付勢し、入賞扉２１０を閉鎖位置に保持する。具体的には、ソレノイド２０のプランジャ２２が突出位置（図１６）から後退位置（図１５）へ後退変位するとき、突起２３３は、係合仰角θを次第に減少させながら、両摺接面２１３ａ，２１３ｂに沿って長孔２１３を下端側から上端側へ摺動する。これによって、入賞扉２１０は回動軸線Ｏを中心に図１６で反時計回り（矢印方向）に回転して開放位置から閉鎖位置へ回動変位し、大入賞口５ａが閉鎖される。
【００６８】
＜大当たり状態＝開放位置＞（図１６）
大当たり状態ではソレノイド２０のコイル部２１が励磁され、圧縮コイルばね２４の付勢力に抗してプランジャ２２が前方側の突出位置に移動し、入賞扉２１０を開放位置に保持する。具体的には、プランジャ２２が後退位置（図１５）から突出位置（図１６）へ前進変位するとき、突起２３３は、係合仰角θを次第に増大させながら、初期には摺接ロック面２１４上を摺動し、その後には両摺接面２１３ａ，２１３ｂに沿って長孔２１３を上端側から下端側へ摺動する。これによって、入賞扉２１０は回動軸線Ｏを中心に図１５で時計回り（矢印方向）に回転して閉鎖位置から開放位置へ回動変位し、大入賞口５ａが開放されるので、遊技領域２ａ（図１参照）を流下する遊技球は入賞領域４ａに導入されるようになる。
【００６９】
＜ロック状態＞（図１５）
入賞扉２１０が閉鎖位置（図１５）に保持されているときに、入賞扉２１０を不正に開こうとする外力Ｐｂが入賞扉２１０に加えられても、移動壁２３２と一体の突起２３３が摺接ロック面２１４に接触しているので、回動側壁２１２（長孔２１３）は回動できない。これによって、突起２３３と長孔２１３との係合がロックされるので、入賞扉２１０の閉鎖位置（図１５）から開放位置（図１６）への回動は阻止され、不正行為は未然に防止される。
【００７０】
このように、ヘッドカバー２３０の移動壁２３２に形成される突起２３３と、入賞扉２１０の回動側壁２１２に形成される長孔２１３とによって、入賞扉２１０とヘッドカバー２３０とを直接的に連係することができ、構成を簡素化しつつ入賞扉２１０を円滑に作動させることができる。また、入賞扉２１０の回動側壁２１２に、湾曲形状の長孔２１３を形成したので、大入賞装置２０４を薄くするとともに入賞扉２１０の耐久性向上を図ることができる。なお、摺動抵抗を低減して突起２３３の移動を円滑にするために、両摺接面２１３ａ，２１３ｂの断面形状は、内転（ハイポ）サイクロイド曲線又は内転（ハイポ）トロコイド曲線で構成するとよい。
【００７１】
さらに、摺接ロック面２１４は後方側摺接面２１３ｂの上端を水平状に延長して形成されているので、不正行為の防止構造を安価に組み込むことができる。また、摺接ロック面２１４と突起２３３との摺接によって直ちに係合ロックされるので、不正行為を未然に防止することができる。
【００７２】
なお、実施例２（図１０〜図１４）及び実施例３（図１５，図１６）において実施例１（図２〜図９）と共通する機能を有する部分にはそれぞれ同一符号を付して説明を省略する。
【００７３】
以上の実施例では、遊技機用入賞装置をパチンコ機に搭載する場合についてのみ説明したが、アレパチ機等のその他の弾球遊技機で実施してもよい。また、実施例３で用いるソレノイドは、実施例１のプッシュプル形、実施例２のプル形のいずれであってもよい。
【符号の説明】
【００７４】
１        パチンコ機（遊技機）
２        遊技盤
２ａ      遊技領域
４        大入賞装置（遊技機用入賞装置）
４ａ      入賞領域
５        台板
５ａ      大入賞口（入賞口）
６        ケーシング
６Ｄ      下側ケース体（ベース体）
６Ｕ      上側ケース体（カバー体）
１０      入賞扉
１１      回動軸
１２      回動側壁
１３      突起（係合凸部）
２０      プッシュプル形ソレノイド（リニアアクチュエータ）
２１      コイル部（本体部）
２２      プランジャ（駆動部材）
２３ａ    前端側ヘッド部
２３ｂ    後端側ヘッド部
２４      圧縮コイルばね（付勢部材）
２９      ソレノイドケース
３０      ヘッドカバー（移動体）
３１      カバー部
３２      移動壁
３３      切欠溝（係合凹部）
３３ａ    前方側摺接面（前方側内面）
３３ｂ    後方側摺接面（後方側内面）
３４      当接ロック面（回動阻止面）
１０４    大入賞装置（遊技機用入賞装置）
１２０    プル形ソレノイド（リニアアクチュエータ）
１２２    プランジャ（駆動部材）
１２３    ヘッド部
１３０    ヘッドカバー（移動体）
１３１    カバー部
１３４    連結部
２０４    大入賞装置（遊技機用入賞装置）
２１０    入賞扉
２１２    回動側壁
２１３    切欠溝（係合凹部）
２１３ａ  前方側摺接面（前方側内面）
２１３ｂ  後方側摺接面（後方側内面）
２１４    摺接ロック面（回動阻止面）
２３０    ヘッドカバー（移動体）
２３２    移動壁
２３３    突起（係合凸部）
Ｏ        回動軸線
Ｐ        駆動力
Ｐｎ      向心力
Ｐｔ      接線力（回動力）
Ｒ        回動半径
α        回動軸線交差角
β        作用線交差角
θ        係合仰角
【図１】
2010253161.tif 000003
【図２】
2010253161.tif 000004
【図３】
2010253161.tif 000005
【図４】
2010253161.tif 000006
【図５】
2010253161.tif 000007
【図６】
2010253161.tif 000008
【図７】
2010253161.tif 000009
【図８】
2010253161.tif 000010
【図９】
2010253161.tif 000011
【図１０】
2010253161.tif 000012
【図１１】
2010253161.tif 000013
【図１２】
2010253161.tif 000014
【図１３】
2010253161.tif 000015
【図１４】
2010253161.tif 000016
【図１５】
2010253161.tif 000017
【図１６】
2010253161.tif 000018